(57)【特許請求の範囲】
【請求項１】
２０℃における熱伝導率が０．０２ｃａｌ／ｃｍ・秒・℃以下の素材を主原料とするセラミック粒子を焼成、結合してなることを特徴とする多孔体吸液芯。
【請求項２】
２０℃における熱伝導率が０．０２ｃａｌ／ｃｍ・秒・℃以下の素材がムライトであることを特徴とする請求項１記載の多孔体吸液芯。
【請求項３】
部分的にガラス質を加えて焼成、結合してなることを特徴とする請求項１または２に記載の多孔体吸液芯。
【請求項４】
ピレスロイド化合物を０．３〜５．０重量％含有する薬液を吸液芯に吸液し、該吸液芯を加熱して薬剤を蒸散せしめる薬剤加熱蒸散方法において、該吸液芯が請求項１ないし３のいずれかに記載の多孔体吸液芯であることを特徴とする薬剤加熱蒸散方法。
【請求項５】
ピレスロイド化合物を含有する薬液が、水性薬液であることを特徴とする請求項４記載の薬剤加熱蒸散方法。
【請求項６】
水性薬液が、（イ）有効成分としてのピレスロイド化合物を０．３〜５．０重量％、（ロ）１００〜１８０℃の加熱温度で蒸散する界面活性剤の１種または２種以上を１０．０〜８０．０重量％、および（ハ）水を含有してなることを特徴とする請求項５記載の薬剤加熱蒸散方法。
【請求項７】
ピレスロイド化合物が、アレスリン、フラメトリン、プラレトリン、５−プロパルギル−２−フリルメチル  ２，２，３，３−テトラメチルシクロプロパンカルボキシラート、及び５−プロパルギル−２−メチル−３−フリルメチル  ２，２，３，３−テトラメチルシクロプロパンカルボキシラートから選ばれた１種又は２種であることを特徴とする請求項４ないし６のいずれかに記載の薬剤加熱蒸散方法。
【請求項８】
界面活性剤が一般式Ｉ：
Ｒ−Ｏ−（Ｃ２Ｈ４Ｏ）ｍ・（Ｃ３Ｈ６Ｏ）ｎ・Ｈ    （Ｉ）
（式中、Ｒは炭素数が１〜８のアルキル基を示し、ｍおよびｎは０〜６の整数を示す。ただし、ｍ＋ｎは１〜６の整数である）で表されるポリオキシアルキレンアルキルエーテル系化合物の１種または２種以上であることを特徴とする請求項６または７記載の薬剤加熱蒸散方法。
【発明の詳細な説明】
【０００１】
【発明の属する技術分野】
本発明は、多孔体吸液芯及びこれを用いた薬剤加熱蒸散方法に関するものである。
【０００２】
【従来の技術】
従来より殺虫等の目的で薬剤を加熱蒸散させる方法としては、（１）いわゆる蚊取線香、および（２）電気蚊取マット等が愛好されてきた。また、薬剤溶液中に多孔質吸液芯を浸漬し芯上部を加熱して薬剤を加熱蒸散させる方式が、一回毎にマット等を交換する必要がないこと、効果が長時間安定すること等の理由で普及している。この加熱蒸散用薬液は、従来石油をベースとした油性薬液が主流であったが、近来火気に対する危険性を解消し、更に殺虫効力を増強する目的で水を溶剤とした水性薬液も市販されている。
ところで、吸液芯としては、例えば、活性白土、けい藻土、タルク、クレー、パーライト等から選ばれた少なくとも１種の鉱物質粉末を、デキストリン、デンプン、カルボキシメチルセルロース等の糊剤を用いて固めたもの（特公昭５９−４０４０９号公報）や、無機質粉体、有機物質および無機質粘結剤からなる混合物を、６００ないし２０００℃で焼成してなるもの（特開平４−１１７３０３号公報）、繊維吸液層とこの周囲をシリコーンワニスで被膜した保持材層とからなるもの（特開平５−３２８８８４号公報）等が知られている，しかし、糊剤を使用する吸液芯は、水性薬液に浸漬すると当然のことながら、糊剤の溶解、溶出、膨潤により吸液芯の物理的劣化が起こるので水性薬液には適用できないし、無機質粉体を含む混合物を焼成してなる吸液芯や、繊維吸液層を使用する吸液芯の場合には、経時変化で薬液に着色を生じたり、また蒸散性能を制御するために製造工程上厳しい技術が要求されるなど、現在入手可能ないずれの吸液芯も完全に満足のいくものとは言えないのが現状である。
【０００３】
【発明が解決しようとする課題】
本発明者らは、先にアルミナ等を素材とするセラミック粒子を部分的にガラス質にて焼成、結合してなる多孔質吸液芯が、有機系の多孔体に比べると、強度的、化学的安定性にすぐれ、また間隙の孔径がより均一なので微妙な揮散量制御を要する薬剤加熱蒸散方式に適していることを見いだした。しかし、これらの多孔体吸液芯は、熱伝導性が高いため、受熱部の温度が吸液芯全体に拡散し、使用条件によっては有効成分の蒸散性能が影響を受ける懸念があった。本発明は、ピレスロイド化合物を有効成分とする薬液中に多孔質吸液芯を浸漬し芯上部を加熱して薬剤を加熱蒸散させる方式において、どんな使用条件でもより安定した蒸散性能とすぐれた殺虫効力を奏する多孔体吸液芯及びこれを用いた薬剤加熱蒸散方法を提供しようとするものである。
【０００４】
【課題を解決するための手段】
上記目的を達成するため、請求項１の発明は、２０℃における熱伝導率が０．０２ｃａｌ／ｃｍ・秒・℃以下の素材を主原料とするセラミック粒子を焼成、結合してなる多孔体吸液芯に係る。
ここで、２０℃における熱伝導率が０．０２ｃａｌ／ｃｍ・秒・℃以下の素材としてはムライト、コージライト等があげられるが、これらを素材とするセラミック粒子は、アルミナ粒子等と比べると熱伝導性が低く、本薬剤加熱蒸散方式により適していることが明らかとなった。本発明では、用いるセラミック粒子の粒度や、焼成、結合条件等を適宜選定して、種々の物性、仕様の多孔体吸液芯の製造が可能であり、例えば本発明の趣旨に合致する限り、熱伝導率が０．０２，ｃａｌ／ｃｍ・秒・℃を超えるセラミック粒子を若干量配合しても構わない。なお、セラミック粒子の孔径については、蒸散性能上、０．２〜５０μｍのものが好適である。
【０００５】
請求項２の発明は、請求項１の構成において、２０℃における熱伝導率が０．０２ｃａｌ／ｃｍ・秒・℃以下の素材として、特に有用なムライトを選択したものである。
【０００６】
請求項３の発明は、請求項１または２の構成において、部分的にガラス質を加えて焼成、結合したものである。
ガラス質を加えることによって、多孔体吸液芯は強度的、ならびに間隙の均一化の点で一層有利となる。
【０００７】
請求項４の発明は、ピレスロイド化合物を０．３〜５．０重量％含有する薬液を吸液芯に吸液し、該吸液芯を加熱して薬剤を蒸散せしめる薬剤加熱蒸散方法において、該吸液芯として、２０℃における熱伝導率が０．０２ｃａｌ／ｃｍ・秒・℃以下の素材を主原料とするセラミック粒子、好ましくはムライトを素材とするセラミック粒子を焼成、結合してなる多孔体吸液芯、更に好ましくは部分的にガラス質を加えて焼成、結合してなる多孔体吸液芯を用いた薬剤加熱蒸散方法に係るものである。
【０００８】
本発明で用いられるピレスロイド化合物としては、２０℃における蒸気圧が４．０×１０−６ｍｍＨｇ以上であるシクロプロパンカルボン酸エステル系化合物、例えば、アレスリン、フラメトリン、プラレトリン、５−プロパルギル−２−フリルメチル  ２，２，３，３−テトラメチルシクロプロパンカルボキシラート（以降、化合物Ｘと称す）、５−ブロパルギル−２−メチル−３−フリルメチル２，２，３，３−テトラメチルシクロプロパンカルボキシラート（以降、化合物Ｙと称す）、エムペントリン、フェンフルスリン、トランスフルスリン等があげられるが、これらに限定されるものではない。また、酸部分、アルコール部分の不斉炭素に基づく光学異性体、あるいは幾何異性体が存在する場合は、それらの異性体の単独、もしくは任意の混合物も本発明に包含されることはもちろんである。
なお本発明では、これらの有効成分の１種または２種が薬液中に０．３〜５．０重量％含有される。０．３％以下では殺虫効力が不足するし、一方、５．０重量％を超えると吸液芯中に目詰まりを起こす恐れがあり問題が多い。
【０００９】
本発明で用いる薬液は、有効成分をノルマルパラフィン、イソパラフィンあるいはナフテン系炭化水素等の石油系溶剤で溶解させた油性薬液でもよいが、有効成分と溶剤としての水を界面活性剤を用いて可溶化させた、いわゆる水性薬液の方が、引火性の問題を解消でき、しかも油性薬液に比べて殺虫効力を増強できうる点で好ましい。
【００１０】
薬液は、前記吸液芯を装填したプラスチック製薬液容器に充填された後、適当な加熱蒸散装置を介して使用に供され、本発明の薬剤加熱蒸散方法を構成する。
【００１１】
請求項５の発明は、請求項４の構成において、薬液として、特に水性薬液を用いたものである。
【００１２】
請求項６の発明は、請求項５の構成において、（イ）有効成分としてのピレスロイド化合物を  ０．３〜５．０重量％、（ロ）１００〜１８０℃の加熱温度で蒸散する界面活性剤の１種または２種以上を１０．０〜８０．０重量％、および（ハ）水を含有してなる水性薬液を用いたものである。
【００１３】
水性薬液には前記ピレスロイド化合物に加えて、１００〜１８０℃の加熱温度で蒸散する界面活性剤の１種または２種以上が１０．０〜８０．０重量％配合される。界面活性剤の配合量は、好ましくは４５．０〜７５．０重量％であり、水性薬液の特性を損なわない限り任意に決定できる。
【００１４】
本発明で用いられる界面活性剤としては、非イオン型のものが好ましく、例えば、一般式Ｉ：
Ｒ−Ｏ−（Ｃ２Ｈ４Ｏ）ｍ・（Ｃ３Ｈ６Ｏ）ｎ・Ｈ      （Ｉ）
（式中、Ｒは炭素数が１〜８のアルキル基を示し、ｍおよびｎは０〜６の整数を示す。ただし、ｍ＋ｎは１〜６の整数である）で表されるポリオキシアルキレンアルキルエーテル系化合物、一般式ＩＩ：
0003738412.tif 000002
（式中、Ｒ′は水素原子、または炭素数１〜３のアルキル基を示し、ｍおよびｎは０〜６の整数を示す。ただし、ｍ＋ｎは１〜６の整数である）で表されるポリオキシアルキレンフェニルエーテル系化合物、  一般式ＩＩＩ：
Ｒ−ＣＯＯ−（ＣＨ２ＣＨ２Ｏ）ｍ・Ｈ              （ＩＩＩ）
（式中、Ｒおよびｍは上記と同じ意味を表す）で表されるポリオキシエチレン脂肪酸エステル、一般式ＩＶまたはＶ：
0003738412.tif 000003
（式中、Ｒは上記と同じ意味を表す）で表される多価アルコール脂肪酸部分エステル、一般式ＶＩまたはＶＩＩ：
0003738412.tif 000004
（式中、Ｒ１、Ｒ２およびＲ３は炭素数１〜８のアルキル基、または１個の水素原子が炭素数１〜３のアルキル基で置換されてもよいフェニル基を表す）で表される多価アルコール部分エーテル、一般式ＶＩＩＩ：
0003738412.tif 000005
（式中、ｌ、ｍ、ｎは０〜８の整数を表す。ただしｌ＋ｎは１〜８の整数である）で表されるポリオキシエチレンポリオキシプロピレングリコール、あるいはポリオキシエチレン多価アルコール脂肪酸部分エステル、脂肪酸のアルキロールアマイド、ヘキサンジオールやペンタンジオールなどのアルカンジオール等をあげることができるがこれらに限定されるものではない。
また、必要ならば、これらの界面活性剤にその特性を損なわない範囲で、若干量の別の非イオン型界面活性剤、カチオン型界面活性剤、アニオン型界面活性剤、あるいは両イオン型界面活性剤が配合されてもよい。
【００１５】
本発明で用いる水性薬液は、前記ピレスロイド系化合物、界面活性剤に水を加えてなるが、必要に応じて、他の殺虫剤、殺菌剤、忌避剤等の成分、ピペロニルブトキサイド、サイネピリン２２２、Ｓ−４２１などのピレスロイド用共力剤、色素、香料または助剤としての有機溶剤などを適宜添加することができる。また、化学的安定性や蒸散性能を一層改善するために、ジブチルヒドロキシトルエン（ＢＨＴ）：３−ｔ−ブチル−４−ヒドロキシアニソール、ジラウリル−チオ−ジプロピオネート、２，２’−メチレンビス−（６−ｔ−ブチル−４−エチルフェノール）などの酸化防止剤を配合してもよいことはもちろんである。
【００１６】
更に、水性薬液の経時的着色を抑えるため、エチレンジアミン四酢酸塩、およびクエン酸塩等の１種または２褌以上を配合することもできる。特に有用な塩として、エチレンジアミン四酢酸二ナトリウム塩、クエン酸三ナトリウム塩等を例示することができ、その配合量は全体量に対して０．００１〜０．５重量％が適当である。０．００１重量％未満では着色防止効果が低く、一方、０．５重量％を越えると吸液芯表面に結晶析出が目立つなど使用性の点で問題があり好ましくない。
【００１７】
請求項７の発明は、請求項４ないし６のいずれかの構成において、ピレスロイド化合物として、特にアレスリン、フラメトリン、プラレトリン、化合物Ｘ、及び化合物Ｙから選ばれた１種又は２種を用いたものである。
【００１８】
請求項８の発明は、請求項６または７の構成において、界面活性剤として特に有用な一般式Ｉ：
Ｒ−Ｏ−（Ｃ２Ｈ４Ｏ）ｍ・（Ｃ３Ｈ６Ｏ）ｎ・Ｈ    （Ｉ）
（式中、Ｒは炭素数が１〜８のアルキル基を示し、ｍおよびｎは０〜６の整数を示す。ただし、ｍ＋ｎは１〜６の整数である）で表されるポリオキシアルキレンアルキル系化合物の１種または２種以上を用いたものである。
【００１９】
一般式Ｉで表される界面活性剤のうち、特に好ましい具体例を示せば以下のとおりであるが、これらに限定されるものでなく、また化合物中のナルキル基は鎖状または分枝状のいずれも包含する。
界面活性剤（１）：ジエチレングリコールモノエチルエーテル
界面活性剤（２）：ジエチレングリコールモノプロピルエーテル
界面活性剤（３）：ジエチレングリコールモノブチルエーテル
界面活性剤（４）：トリエチレングリコールモノエチルエーテル
界面活性剤（５）：トリエチレングリコールモノプロピルエーテル
界面活性剤（６）：トリエチレングリコールモノブチルエーテル
【００２０】
【発明の実施の形態】
請求項１の発明によると、２０℃における熱伝導率が０．０２ｃａｌ／ｃｍ・秒・℃以下の素材を主原料とするセラミック粒子を焼成、結合させて吸液芯を作製したので、従来の例えば有機系の吸液芯に比べて強度性、化学的安定性にすぐれ、また間隙の孔径が均一化されていることはもちろん、熱伝導性の高いアルミナ等にみられる懸念（吸液芯受熱部の温度が全体に拡散することによる蒸散性能への影響）もない。従って、薬液中に多孔体吸液芯を浸漬し芯上部を加熱して薬剤を加熱蒸散させる方式において、使用条件にかかわらず、より安定した蒸散性能とすぐれた殺虫効力を奏し得る。
本発明の多孔体吸液芯を製造するにあたっては、従来セラミック成型品の製造技術をそのまま適用でき、セラミック粒子、有機質バインダー等からなる混合物を、好ましくはガラス質成分を加えて、押し出し機あるいはプレス機等を用いて仮成型したのち、１０００℃以上で焼成、結合させればよい。なお、焼成、結合に先立ち、仮成型品を、例えばリン酸、ホウ酸等の水溶液や有機酸、グリコール、シリコーン等の薬剤で処理し、蒸散性能を一層安定化させることも可能である。
【００２１】
請求項２の発明によると、２０℃における熱伝導率が０．０２ｃａｌ／ｃｍ・秒・℃以下の素材のなかでも特に有用なムライトを使用したので、性能的によりすぐれることはもちろん、入手性の点でも好適である。
【００２２】
請求項３の発明によると、セラミック粒子に、ガラス質成分を加えて焼成、結合したので、より一層有用な多孔体吸液芯を得ることができる。
【００２３】
請求項４の発明によると、性能のすぐれた本発明の多孔体吸液芯を装填したプラスチック製薬液容器を加熱蒸散装置に適用するので、その結果として、極めて有用な薬剤加熱蒸散方法が提供される。
本発明薬剤加熱蒸散方法で使用される加熱蒸散装置は、一般に入手できるものを任意に用いることができ、構造、仕様などは何ら制限されないが、その装置の一例を添付図面を参照して説明する。
【００２４】
加熱蒸散装置は、器体１と薬液容器２とからなり、薬液容器２は容器内から外部に突出した多孔体吸液芯３を具備すると共に器体１内部のねじ部にねじ込み吊架される構造となっている。器体１は半硬質もしくは硬質の合成樹脂を用いて成型されるが、これを適当な部品に分割して組み立てて所要の一個の形態に構成しても構わない。また、器体１には、薬液容器２中の液量を装置外から確認できるように、一部に透明樹脂を用いるか、または穿孔して液量確認窓を設けることもできる。更に、器体１の胴部または底部に外部と通じる外気取入口を設け、上昇気流による薬液の揮散効果を高めることもできる。
【００２５】
薬液容器２は、ポリプロピレン、ポリエステル、ポリ塩化ビニール等の耐薬品性合成樹脂からなり、薬液４を充填し、その口部に適当な保持部材を介して多孔体吸液芯３を密栓状に保持したのち、器体１に取り付けられる。薬液容器２を器体１に取り付ける方法としては、例えば、薬液容器２の上に設けた保持体に螺合ないし嵌合させる方法や底面に螺合式の底蓋を設け、この上に薬液容器２を載置する方法や、または、薬液容器２の頭部に器体１を螺合ないし嵌合させ、薬液容器２の周面を露出させる方法等があり、この際、薬液容器２を台座上に載置して保持しても良い。
【００２６】
リング状発熱体ユニット５は、多孔体吸液芯３の上端部の周囲を間隙６を存して囲繞するように器体１の頂面中央に備えられる。通電時、多孔体吸液芯３の発熱体ユニット５の放熱リングに対面する部分は７０〜１４０℃の温度に加熱され、この輻射熱により多孔体吸液芯３に含まれる薬液は器体上部の天面開口部７から空中に蒸散される。なお、天面開口部７から器体１内の下方に垂下する蒸散筒を設けることによって蒸散効率を高めることができる。
【００２７】
更に、加熱蒸散装置の器体１の外部または内部には、オンオフ操作スイッチ８、電源コード９の他、パイロットランプ等が適宜付設される。電源コード９は延長コード取り付けタイプとしても、またプラグ端子を器体１に固定する、いわゆるコードレスタイプとしてもよいし、あるいは電源コード９を収納するための収納室を別途器体１に設けても差し支えない。
【００２８】
本発明の薬剤加熱蒸散方法によれば、多孔体吸液芯３の受熱部に浸透した薬液４が加熱蒸散装置のリング状発熱体ユニット５に間接加熱されて蒸散し、蚊、ハエ、ゴキブリ、ナンキンムシ、ダニ類などに対して長時間にわたり安定した高い駆除効果を発揮するものである。
【００２９】
請求項５の発明によると、薬液として水性薬液を用いたので、引火性の問題を解消し、しかも殺虫効力の増強を図ることができる。
【００３０】
請求項６の発明によると、水性薬液の組成を好ましい配合組成に特定したので、より有用な薬剤加熱蒸散方法が提供される。
【００３１】
請求項７の発明によると、特に好ましいピレスロイド系化合物を用いたので、蒸散性能や殺虫効力の点で有利である。
【００３２】
請求項８の発明によると、特に好ましい界面活性剤を用いたので、より性能のすぐれた薬剤加熱蒸散方法が提供される。
【００３３】
【実施例】
次に、実施例及び試験例に基づいて本発明をより詳細に説明するが、本発明はこれらに限定されるものではない。
【００３４】
実施例１
原料粒径が５〜１０μｍのムライト粒子を用いて、平均孔径１〜２μｍの多孔体吸液芯（外径７．０ｍｍ、長さ７５．５ｍｍ）を作製した。
ｄ−シス，トランス−フラメントリン１．５重量％、ジエチレングリコールモノブチルエーテル７０重量％、ＢＨＴ０．８重量％、及び精製水を含有する水性薬液４５ｍｌを内容積５０ｍｌのプラスチック製薬液容器に充填し、保持具を介して前記多孔体吸液芯を装填した。
得られた多孔体吸液芯装填薬液容器を５０℃で１ヶ月保存した後、薬液の性状を調べたところ、着色の度合いは試験開始時と比べてごくわずかであった。また、これを発熱体ユニットの温度が１４０℃の加熱蒸散装置に装着して通電した。１日（１２時間）あたりの揮散量は６０日間にわたり約０．７ｍｌで目詰まりもなく高い殺虫効力を維持した。
【００３５】
試験例１
実施例１に準じて、表１に示す吸液芯装填試料を調製し（表中、薬液組成のうち水及びその他の欄において、「残」とあるのは、残部重量％を水または表示の物質が占めることを意味する）、市販の加熱蒸散装置に装着して蒸散性能及び殺虫効力を調べた。蒸散牲能は、所定時間毎にシリカゲル充填カラムでトラップし、アセトンで有効成分を抽出後ガスクロマトグラフで分析し、有効成分の時間あたりの蒸散量を求め、表にはそれぞれの有効成分の初期の値を１．００とした場合の相対比で示した。一方、殺虫効力については、下記の連続通気法によりアカイエカに対する仰転効果を評価し、表にはｄｌ，ｄ−シス、トランス−アレスリン２．６重量％を含有する灯油溶液の初期の値を１．００とした場合の相対有効比で示した。なお、薬液にはピレスロイド化合物量に対して０．３〜１．０倍量のＢＨＴを配合した。
【００３６】
（連続通気法）
内径２０ｃｍ、高さ４３ｃｍのプラスチック製円筒を２段に重ね、その上に１６メッシュの金網で上下を仕切った、内径及び高さが共に２０ｃｍの円筒（供試蚊を入れる場所）を載せ、更に、同径で高さ２０ｃｍの円筒を載せる。この４段重ねの円筒を台に載せ、台の中央に加熱蒸散装置を置いて薬液を蒸散させる。そして、上部円筒に供試蚊約２０匹を放ち、時間の経過に伴う仰転数を観察する。暴露２０分後に全供試蚊を清潔なポリエチレン容器に移し、３％砂糖水を与え、保存２４時間後に死虫率を調べる。
【００３７】
【表１】
0003738412.tif 000006
【００３８】
試験の結果、本発明の多孔体吸液芯を用いた薬剤加熱蒸散方法は、長期間にわたりすぐれた蒸散性能を示し、高い殺虫効力を保持した。
これに対し、対照例で示されるような従来の吸液芯、例えば、無機質粉体、有機物質及び無機質粘結剤からなる混合物を焼成してなるもの（対照例１）や、繊維吸液層とこの周囲をシリコーンワニスで被膜した保持材層とからなるもの（対照例２）では、薬液が経時的に幾分着色し、また蒸散性能を均一化するうえで厳しい製造管理が要求された。更に、対照例３のように、ピレスロイド化合物含量が、０．３重量％未満の薬液は殺虫効力が不十分で、一方、対照例４の如く有効成分含量が５．０重量％を越えると、有効成分が吸液芯中に蓄積し蒸散性能の低下を招いた。従って、本発明多孔体吸液芯の有用性は明らかである。
【００３９】
【発明の効果】
上記のように本発明の多孔体吸液芯は、従来の吸液芯に比べ強度性、化学的安定性、製造上の均一性、蒸散性能に関与する熱伝導性等の物性等あらゆる点ですぐれ極めて有用である。そして、この多孔体吸液芯を用いる本発明の薬剤加熱蒸散方法も、より安定した蒸散性能とすぐれた殺虫効力を奏するので、その実用性は極めて高いものである。
【図面の簡単な説明】
【図１】本発明で使用される加熱蒸散装置の一実施例の断面図を示す。
【符号の説明】
１．器体
２．薬液容器
３．多孔体吸液芯
４．薬液
５．リング状発熱体ユニット
６．間隙
７．天面開口部
８．オンオフ操作スイッチ
９．電源コード
【図１】
0003738412.tif 000007